(57)【要約】【課題】使い勝手がよく、構造が簡潔な窓部を有する隠蔽葉書などの送付体を提供する。【課題の解決手段】窓部を有する隠蔽葉書１は、折り部５，６を介して連接された上紙片２，中紙片３、下紙片４が、折り部５，６で巻き込むように折り重ねられ、重ね合わせ面は剥離可能に接着されてなるとともに、重ね合わせ面及び表出面の適所には適宜な情報が印字されてなり、上紙片２には窓部９を形成し、中紙片３には、窓部９から視認可能に宛名情報１４が印字された情報印字部を区画形成してなる。【選択図】図２
2010082949.tif 000002
【特許請求の範囲】
【請求項１】
折り部を介して連接された３枚以上の紙片が、前記折り部で巻き込むように折り重ねられ、重ね合わせ面の少なくとも周縁部分で剥離可能に接着されてなるとともに、重ね合わせ面及び表出面の適所には適宜な情報が印字されてなり、表出する紙片の一方には窓部を形成し、この表出する紙片と重なる紙片には、前記窓部から視認可能に宛名情報が印字された情報印字部を区画形成してなることを特徴とする窓部を有する送付体。
【発明の詳細な説明】
【技術分野】
【０００１】
本発明は、折り部を介して連接された３枚以上の紙片が、前記折り部で折り重ねられ、折り重ね面の少なくとも周縁部分で剥離可能に接着されてなり、表出する紙片には窓部を有する送付体に関する。
【背景技術】
【０００２】
従来、窓部を有する送付体として、窓開き封筒が知られている（特許文献１）。
【０００３】
【特許文献１】特開２００４−２９９７４９号公報
【０００４】
ところが、この窓開き封筒は、単に封筒としての機能しか有しないので、使い勝手がよくないという不都合があった。
【発明の開示】
【発明が解決しようとする課題】
【０００５】
本発明は、このような事情に鑑みてなされたもので、使い勝手がよく、構造が簡潔な窓部を有する送付体を提供することを目的とする。
【課題を解決するための手段】
【０００６】
この目的を達成するために、本発明に係る窓部を有する送付体は、折り部を介して連接された３枚以上の紙片が、前記折り部で巻き込むように折り重ねられ、重ね合わせ面の少なくとも周縁部分で剥離可能に接着されてなるとともに、重ね合わせ面及び表出面の適所には適宜な情報が印字されてなり、表出する紙片の一方には窓部を形成し、この表出する紙片と重なる紙片には、前記窓部から視認可能に宛名情報が印字された情報印字部を区画形成してなるものである。
【発明の効果】
【０００７】
本発明に係る窓部を有する送付体によれば、情報印字部の宛名情報は、各紙片を折り重ねる前の展開状態において表出面と同一面を形成する面に印字されるので、印字データのマッチングが容易であり、また、窓部対応部分以外の重ね合わせ面に印字した情報は、外部から視認されることがないとともに、損傷されることなく送付できるという効果を奏する。
【発明を実施するための最良の形態】
【０００８】
以下、本発明を隠蔽葉書に適用した場合の好適な実施形態を添付図面に基づき説明する。ここにおいて、図１は窓部を有する隠蔽葉書の平面図、図２は図１のＡ−Ａ線断面図、図３は展開状態にある葉書用シートの平面図である。
【０００９】
図１〜図３に示すように、窓部を有する隠蔽葉書１は、ほぼ同一大の上紙片２、下紙片４、中紙片３の３枚の紙片が折り部たる折り用ミシン目５，６を介して連接されてなる葉書用シート７を、前記折り用ミシン目５，６で巻き込むように折り重ねて、重ねあわせ面に全面的に塗布した接着力の弱い接着剤８によって、これら重ね合わせ面を剥離可能に接着してなる。前記上紙片２には透孔状の窓部９が形成されている。また、前記下紙片４の表出面には差出人情報１０が印字されている。
【００１０】
中紙片３には情報印字部であるカード部１１が切り用ミシン目１２によって区画形成され、このカード部１１の上紙片２との重ね合わせ面には、カード名情報１３と、カード所有者情報１４と、カード番号情報１５が印字されている。また、中紙片３におけるカード部１１の下には、説明文１６が印字されている。
【００１１】
図１に示すように、カード所有者情報１４が窓部９に対応して視認可能であり、このカード所有者情報１４が宛名情報を兼ねている。また、中紙片３と下紙片４との重ね合わせ面にも伝達情報１７，１８が印字されている（図２参照）。これらの伝達情報１７，１８は葉書用シート７の図３に示す面とは反対面に印字されているものである。そして、各重ね合わせ面において、前記窓部９に対応する部分以外の部分に印字された情報は外部から視認不能である。
【００１２】
差出人情報１０、カード名情報１３、カード所有者情報１４、カード番号情報１５、説明文１６は、各紙片２，３，４が折り重ねられる前の展開状態で表出面と同一面を形成する面に印字されてなる。すなわち、図３に示すように、各情報１０，１３，１４，１５，１６は葉書用シート７の同一面側に印字されている。
【００１３】
ここで、本実施形態に係る窓部を有する隠蔽葉書１の作成手順を説明する。窓部を有する隠蔽葉書１を折り重ねる前の展開状態である葉書用シート７の白紙状態において、図３に示す同一面側に差出人情報１０、カード名情報１３、カード所有者情報１４、カード番号情報１５、説明文１６を印字する一方、同じく他の同一面側に各伝達情報１７，１８を印字する（図２参照）。次いで、上紙片２と下紙片４の差出人情報１０印字面が表出するように、葉書用シート７を折り用ミシン目５，６で折り重ね、重ね合わせ面を剥離可能な接着剤８によって剥離可能に接着して、窓部を有する隠蔽葉書１とする。
【００１４】
上述の如くして作成した、図１及び図２状態の窓部を有する隠蔽葉書１を受領した宛名人は、上紙片２及び中紙片３を順次捲り上げてそれぞれ剥離し、図３に示す展開状態にすることができる。この展開状態で、露出していたカード所有者情報１４以外の各情報１０，１３，１５，１６，１７，１８を確認することができる。情報内容を確認した宛名人は、切り用ミシン目１２を破断してカード部１１を分離し、会員カードを得ることができる。
【００１５】
なお、本発明は、上述した実施形態に限定されるものではなく、例えば窓部を有する隠蔽葉書１は３枚の紙片２，３，４に限らず、４枚、あるいはそれ以上の紙片を折り重ねたものでもよいし、送付体は隠蔽葉書１に限らない。また、折り重ねた剥離可能な重ね合わせ面は、全面的に剥離可能に接着するほか、少なくとも周縁部分が剥離可能に接着されていれば足りる。さらに、窓部９は、透孔に透視可能なフィルムを貼付した構成でもよい。またさらに、情報印字部はカード部１１のほか、申込用紙部や葉書部でもよい。
【図面の簡単な説明】
【００１６】
【図１】窓部を有する隠蔽葉書の平面図。
【図２】図１のＡ−Ａ線断面図。
【図３】展開状態にある葉書用シートの平面図。
【符号の説明】
【００１７】
１      窓部を有する隠蔽葉書
２      上紙片
３      中紙片
４      下紙片
５，６      折り用ミシン目
７      葉書用シート
８      剥離可能な接着剤
９      窓部
１０      差出人情報
１１      カード部
１２      切り用ミシン目
１３      カード名情報１４
１４      カード所有者情報
１５      カード番号情報
１６      説明文
１７，１８      伝達情報
【図１】
2010082949.tif 000003
【図２】
2010082949.tif 000004
【図３】
2010082949.tif 000005